(57)【要約】【課題】リバースチルトドメインによる光漏れを最小限に抑えることが可能で、これにより表示特性が良好な液晶パネルを提供する。【解決手段】画素電極１９およびこれに接続されたトランジスタ１７の形成面側が配向膜２１で覆われた駆動用基板１１と、駆動用基板１１における配向膜２１側に配置された対向基板３１との間に液晶層３３を狭持してなり、配向膜２１は、各トランジスタ１７に接続された信号線１５または走査線１３に対して略平行をなす方向ｘにラビング処理されており、各画素１６には、ラビング方向ｘに対する垂直方向の略中央部となる位置に突起部３５が設けられていることを特徴とする液晶パネル３。【選択図】        図１
2004219858.tif 000002
【特許請求の範囲】
【請求項１】
画素電極およびこれに接続されたトランジスタの形成面側が配向膜で覆われた駆動用基板と、当該駆動用基板における配向膜側に配置された対向基板との間に液晶層を狭持してなる液晶パネルであって、
前記配向膜は、前記各トランジスタに接続された状態で当該配向膜下に設けられた信号線または走査線に対して略平行をなす方向にラビング処理されており、
前記各画素には、当該配向膜のラビング方向に垂直な方向の略中央部となる位置に突起部が設けられている
ことを特徴とする液晶パネル。
【請求項２】
請求項１記載の液晶パネルにおいて、
前記突起部は、前記各画素における前記ラビング方向の中央部よりも当該ラビング方向の始点側に配置されている
ことを特徴とする液晶パネル。
【請求項３】
請求項１記載の液晶パネルにおいて、
前記配向膜は、前記液晶層を構成する液晶分子のプレチルト角が４°〜２０°となるように調整されている
ことを特徴とする液晶パネル。
【請求項４】
請求項１記載の液晶パネルにおいて、
前記各画素には、前記ラビング方向の始点側から反射表示部と透過表示部とがこの順に配置されている
ことを特徴とする液晶パネル。
【請求項５】
請求項１記載の液晶パネルにおいて、
前記ラビング方向に配列された画素間には、前記液晶層の流動を防止するための壁部が当該ラビング方向に対して略垂直方向に延設配置されている
ことを特徴とする液晶パネル。
【請求項６】
画素電極およびこれに接続されたトランジスタの形成面側が配向膜で覆われた駆動用基板と、当該駆動用基板における配向膜側に配置された対向基板との間に液晶層を狭持してなる液晶パネルであって、
前記配向膜は、前記各トランジスタに接続された状態で当該配向膜下に設けられた信号線または走査線に対して略平行をなす方向にラビング処理されると共に、前記液晶層を構成する液晶分子のプレチルト角が４°〜２０°となるように調整されている
ことを特徴とする液晶パネル。
【請求項７】
請求項６記載の液晶パネルにおいて、
前記各画素には、前記ラビング方向の始点側から反射表示部と透過表示部とがこの順に配置されている
ことを特徴とする液晶パネル。
【請求項８】
請求項６記載の液晶パネルにおいて、
前記ラビング方向に配列された画素間には、前記液晶層の流動を防止するための壁部が当該ラビング方向に対して略垂直方向に延設配置されている
ことを特徴とする液晶パネル。
【請求項９】
画素電極およびこれに接続されたトランジスタの形成面側が配向膜で覆われた駆動用基板と、当該駆動用基板における配向膜側に配置された対向基板との間に液晶層を狭持してなる液晶パネルであって、
前記配向膜は、前記各トランジスタに接続された状態で当該配向膜下に設けられた信号線または走査線に対して略平行をなす方向にラビング処理されており、
前記各画素には、前記ラビング方向の始点側から反射表示部と透過表示部とがこの順に配置されている
ことを特徴とする液晶パネル。
【請求項１０】
請求項９記載の液晶パネルにおいて、
前記ラビング方向に配列された画素間には、前記液晶層の流動を防止するための壁部が当該ラビング方向に対して略垂直方向に延設配置されている
ことを特徴とする液晶パネル。
【請求項１１】
画素電極およびこれに接続されたトランジスタの形成面側が配向膜で覆われた駆動用基板と、当該駆動用基板における配向膜側に配置された対向基板との間に液晶層を狭持してなる液晶パネルであって、
前記配向膜は、前記各トランジスタに接続された状態で当該配向膜下に設けられた信号線または走査線に対して略平行をなす方向にラビング処理されており、
前記ラビング方向に配列された画素間には、前記液晶層の流動を防止するための壁部が当該ラビング方向に対して略垂直方向に延設配置されている
ことを特徴とする液晶パネル。
【発明の詳細な説明】
【０００１】
【発明の属する技術分野】
本発明は液晶パネルに関し、特にはアクティブマトリックス型の液晶パネルに関する。
【０００２】
【従来の技術】
画素電極駆動用のトランジスタを設けてなるアクティブマトリックス型の液晶パネルは、トランジスタが設けられた駆動用基板と対向電極が配置された対向基板との間に液晶層を狭持した構成となっている。図５には、アクティブマトリックス型の液晶液晶パネルの概略平面図を示す。尚、この図は、液晶パネル１の駆動用基板部分の概略平面図であることとする。この図に示すように、液晶パネル１は、駆動用基板１１の表示面内において走査線１３と信号線１５とを縦横に配線してなる。そして、これらの走査線１３と信号線１５とで区切られた各画素１６内に、ゲートが走査線１３に接続されソース・ドレインが信号線１５に接続されたトランジスタ１７と、このトランジスタ１７のソース・ドレインに接続された画素電極１９とが配置され、さらにこれらを覆う状態で、ここでの図示を省略した配向膜が設けられている。
【０００３】
このような構成の駆動用基板１１を用いた液晶パネル１においては、走査線１３や信号線１５が、画素電極１９の近くに配置されている。このため、走査線１３と画素電極１９との間、および信号線１５と画素電極１９との間に横電界が発生し、この横電界によって、画素電極１９上の液晶層に局所的な配向の乱れが生じ、この配向が乱れた領域（すなわちリバースチルトドメイン）ｄ１，ｄ２において光漏れが発生することが知られている。
【０００４】
そこで、図６に示すように、上述した構成において配向膜のラビング方向ｘを、信号線１５に対して略平行とすることで、信号線１５と画素電極１９との間における横電界による液晶層の配向の乱れを防止し、信号線１５に平行なリバースチルトドメイン（ｄ１）の発生を抑える構成の液晶パネル２が提案されている（例えば、下記特許文献１参照）。
【０００５】
【特許文献１】
特開２００２−４０４５５号公報
【０００６】
ところが、このような構成の液晶パネル２においては、信号線１５に対して平行なリバースチルトドメイン（ｄ１）の発生を抑えることはできても、走査線１３に対して平行なリバースチルトドメインｄ２の発生を抑えることはできなかった。このため、走査線１３に対して平行に発生するリバースチルトドメインｄ２は、画素の周囲に設けたマスクによって遮光されるような構成となっている。
【０００７】
【発明が解決しようとする課題】
ところで、液晶パネルにおいては、パネル面が押圧されるなどの理由によりパネル面内において液晶層が流動した場合、この流動に伴ってリバースチルトドメインが移動することが知られている。例えば図６を用いて説明した構成の液晶パネル２であれば、パネル面の押圧によって液晶が流動した場合、走査線１３に対して平行に生じるリバースチルトドメインｄ２が、走査線１３に近い部分からラビング方向ｘに向かって異動する。このため、画素１６の中央部、すなわち遮光されていない表示領域に向かってリバースチルトドメインｄ２が移動し、この部分において光漏れが生じることになる。しかも、表示領域内に移動したリバースチルトドメインは、パネル面の押圧を解法した後にも、数秒のオーダーで表示領域内に残されるため、この光漏れは視認し易く、液晶パネルにおける表示性能を低下させる要因になっている。
【０００８】
特に、タッチパネル付き表示装置に用いられる液晶パネルにおいては、パネル面の押圧を避けることができず、このような光漏れは、表示性能を低下させる最大の要因となる。
【０００９】
そこで本発明は、リバースチルトドメインによる光漏れを最小限に抑えることが可能で、これにより表示特性の良好な液晶パネルを提供することを目的とする。
【００１０】
【課題を解決するための手段】
このような目的を達成するための本発明は、画素電極およびこれに接続されたトランジスタの形成面側が配向膜で覆われた駆動用基板と、当該駆動用基板における配向膜側に配置された対向基板との間に液晶層を狭持してなる液晶パネルであり、配向膜は、前記各トランジスタに接続された状態で当該配向膜下に設けられた信号線または走査線に対して略平行をなす方向にラビング処理されている。
【００１１】
このような構成の液晶パネルにおいては、ラビング方向と平行に配置された信号線または走査線と画素電極との間においての、横電界による液晶配向の乱れが防止される。
【００１２】
そして特に、第１の発明では、各画素において、配向膜のラビング方向に垂直な方向の中央部にとなる位置に突起部が設けられていることを特徴としている。これにより、ラビング方向に垂直な走査線または信号線と画素電極との間に、横電界による液晶配向の乱れが生じた領域（リバースチルトドメイン）が発生し、この状態で液晶層が流動してリバースチルトドメインがラビング方向に移動した場合であっても、このリバースチルトドメインが突起部によって分断される。このため、画素の中央部における表示領域に移動し、分断されたリバースチルトドメインでの光漏れが小さく抑えられる。
【００１３】
またさらに、第２の発明は、液晶層を構成する液晶分子のプレチルト角が４°〜２０°となるように配向膜の調整がなされていることを特徴としている。このように、プレチルト角を４°以上としたことにより、液晶層の流動によるリバースチルトドメインのラビング方向への移動が小さく抑えられる。したがって、第２の発明と同様に、リバースチルトドメインによる表示領域での光漏れが抑えられる。また、プレチルト角を２０°以下としたことにより、ラビング法に特有である筋状のリタデーション斑の発生が抑えられる。
【００１４】
そして、第３の発明は、各画素に、ラビング方向の始点側から反射表示部と透過表示部とがこの順に配置されていることを特徴としている。これにより、上述したようなリバースチルトドメインが発生し、この状態で液晶層が流動してリバースチルトドメインがラビング方向に移動した場合であっても、リバースチルトドメインによる光漏れが視認される透過表示部に、当該リバースチルトドメインが達し難くなる。したがって、リバースチルトドメインによる表示領域での光漏れが抑えられる。
【００１５】
また、第４の発明は、ラビング方向に配列された画素間に、液晶層の流動を防止するための壁部が当該ラビング方向に対して略垂直方向に延設配置されていることを特徴としている。これにより、ラビング方向に対する液晶層の流動が抑えられる。このため、上述したようなリバースチルトドメインが発生しても、このリバースチルトドメインのラビング方向に対する移動が抑えられ、リバースチルトドメインが画素の中央部の表示領域に達し難くなる。したがって、リバースチルトドメインによる表示領域での光漏れが抑えられる。
【００１６】
【発明の実施の形態】
以下、本発明の液晶パネルの各実施の形態を図面に基づいて詳細に説明する。尚、以下の各実施形態において、図６を用いて説明した従来の液晶表パネルと同様の構成要素には同一の符号を付して説明を行うこととする。
【００１７】
＜第１実施形態＞
図１は、本発明の液晶パネルの第１実施形態を示す表示領域の概略構成図であり、図１（１）は液晶パネルを構成する駆動用基板部分の概略平面図であり、図１（２）は液晶パネルの概略断面図である。尚、図１（２）は図１（１）のＡ−Ａ’断面に対応している。
【００１８】
これらの図に示す第１実施形態の液晶パネル３は、駆動用基板１１と対向基板３１との間に液晶層３３を狭持してなる（概略断面図参照）。このうち、駆動用基板１１の表示面内には、走査線１３と信号線１５とが縦横に配線されている。そして、これらの走査線１３と信号線１５とでマトリックス状の区切られた各画素１６内に、ゲートが走査線１３に接続されソース・ドレインが信号線１５に接続されたトランジスタ１７と、このトランジスタ１７のソース・ドレインに接続された画素電極１９とが配置され、さらにこれらを覆う状態で、概略断面図に示す配向膜２１が設けられている。
【００１９】
ここで、この液晶パネル３は、各画素１６の中央の大部分を占める表示領域内に、反射表示部１６ａと透過表示部１６ｂとが設けられ、半反射半透過型の液晶パネルとして構成されている。このため、反射表示部１６ａには画素電極１９として反射電極１９ａが配置されており、透過表示部１６ｂには画素電極１９として透過電極１９ｂが配置された構成となっている。尚、図１（２）の概略断面図においては、説明のために反射電極１９ａと透過電極１９ｂとが同一層に配置されている構成を図示したが、これらの電極１９ａ，１９ｂとは異なる層に配置されている場合もある。
【００２０】
そして特に、これらの反射表示部１６ａと透過表示部１６ｂとは、駆動用基板１１の表面を覆う配向膜２１（概略断面図のみに図示）のラビング方向ｘに沿って、ラビング方向ｘの始点側から反射表示部１６ａ、透過表示部１６ｂの順に配置されていることとする。ただし、ラビング方向ｘの始点側には反射表示部１６ａのみが配置され、ラビング方向ｘの終点側には透過表示部１６ｂと共に反射表示部１６ａが設けられても良いこととする。
【００２１】
また、上述した配向膜２１は、信号線１５に対して略平行なラビング方向ｘにラビング処理が施されていることとする。尚、配向膜２１は、走査線１３に対して略平行なラビング方向ｘにラビング処理されていても良い。この場合、以下の説明においては、信号線１５を走査線１３と読み替え、走査線１３を信号線１５と読み替えた構成となる。ただし、矩形の画素１６であれば、その長辺方向に沿ってラビング方向ｘが設定されることが好ましい。
【００２２】
さらに、配向膜２１は、液晶層３３を構成する液晶分子３３ａのプレチルト角θが４°〜２０°となるように調整されていることとする。このような調整は、例えば配向膜２１の膜厚の設定によってなされる。具体的には、日産化学製ＳＥ７７９４を配向膜材料として用いた場合、この材料を印刷法によって所定の膜厚の塗布膜として形成し、この塗布膜に対してコットン布を用いてラビング処理を施すことで得られる配向膜２１の場合、塗布膜の膜厚３０ｎｍでプレチルト角θ＝３°、膜厚４０ｎｍでプレチルト角θ＝４°、膜厚５０ｎｍでプレチルト角θ＝５°に調整される。尚、ここで言うプレチルト角θとは、パネルの透過部をクリスタルローテンション法（ＥＬＩＳＩＣＯＮ社  ＰＡＳ３０１）で測定した値であり、パネル面内における平均のプレチルト角であることとする。
【００２３】
そして、各画素１６には、それぞれ突起部３５が設けられている。これらの突起部３５は、各画素１６において、ラビング方向ｘと垂直な方向の略中央部となる位置に設けられていることとする。また特に、これらの突起部３５は、各画素１６におけるラビング方向ｘの中央部よりも、ラビング方向ｘの始点側に配置されていることとする。このため、具体的には、各突起部３５は、反射電極１９上において、より走査線１３に近い位置であることが好ましい。ただし、反射電極１９と走査線１３との間の横電界によって発生するリバースチルトドメインｄ２が、通常状態において突起部３５よりも画素１６の中央部とならない程度に、走査線１３に近い位置に各突起部３５が配置されることとする。
【００２４】
さらに、これらの突起部３５は、断面図に示したように、駆動用基板１１と対向基板３１との間のスペーサを兼ねる高さで設けられても良い。しかし、この突起部３５は、走査線１３と反射電極１９ａとの間の電界の影響がおよぶ高さを有していれば、スペーサを兼ねる高さを下回っていても良い。ただしこの場合、他のスペーサを用意することとする。
【００２５】
また、これらの突起部３５は、配向膜２１の上部または下部に設けられることとする。通常は、配向膜２１の下部に突起部３５設けられることになるが、この場合には、突起部３５の表面が配向膜２１で覆われた状態になる。また、この場合、例えばリソグラフィー処理によってレジストパターン（例えばＪＳＲ製オプトマーＮＮ７００Ｇ：ネガレジスト）からなる突起部３５を形成した後、この突起部３５が形成された駆動用基板１１の表面側を覆う状態で配向膜２１が形成される。
【００２６】
尚、図面においては、各画素１６に１つの突起部３５を設けた構成としたが、各画素１６に複数の突起部３５を設けた構成としても良い。この場合、各画素１６においては、ラビング方向ｘに重なることのないように突起部３５を配置することが有効である。ただし、各画素１６における突起部３５の配置状態、配置数および突起部３５の材質は、表示特性に影響を及ぼすことのない範囲で設定されることとする。
【００２７】
以上の他、ここでの図示は省略したが、対向基板３１には、駆動用基板１１に対向する面上に対向電極が設けられ、この対向電極３１を覆う状態で配向膜が設けられていること、さらには走査線１３および信号線１５に沿った表示面側に遮光用のマスクが配置されていること等は、従来の液晶パネルと同様である。
【００２８】
このような構成の液晶パネル３においては、駆動用基板１１側の配向膜２１のラビング方向ｘが信号線１５と平行に設定されていることから、画素電極１９と信号線１５との間においての、横電界による液晶配向の乱れが防止される。
【００２９】
一方、画素電極１９（反射電極１９ａ）とラビング方向ｘに垂直な走査線１３との間には、横電界Ｅによるリバースチルトドメインｄ２が発生する。このリバースチルトドメインｄ２は、定常状態においては、走査線１３に沿って配置された上述の遮光用のマスクで覆われており、光漏れを生じることはない。ただし、図２に示すように、液晶パネル３のパネル面が押し圧された場合には、リバースチルトドメインｄ２は、液晶層３３の流動によってラビング方向ｘに移動する。しかしながら、本実施形態の液晶パネル３においては、各画素１６において、ラビング方向ｘに垂直な方向の中央部にとなる位置に突起部３５が設けられている。これにより、ラビング方向ｘの画素１６中央方面に移動したリバースチルトドメインｄ２は、突起部３５によって分断される。このため、画素１６の中央側に移動したリバースチルトドメインｄ２での光漏れを、視認できない程度に小さく抑えることができる。
【００３０】
特に、各突起部３５は、各画素１６におけるラビング方向ｘの中央部よりも、ラビング方向ｘの始点側に配置されているため、走査線１３に沿った位置から画素１６の中央に移動したリバースチルトドメインｄ２は、より早い段階で、すなわち、より走査線１３に近い位置で分断されることになる。したがって、連続したリバースチルトドメインｄ２の画素１６の中央部（表示領域内）への移動が防止され、これによっても、リバースチルトドメインｄ２における光漏れの影響を小さく抑えることが可能になるのである。
【００３１】
また、ラビング方向ｘに重なることのないように複数の突起部３５が各画素１６に配置されている場合、走査線１３に沿った位置から画素１６の中央に移動したリバースチルトドメインｄ２は、複数の突起部３５によってさらに小さく分断される。このため、リバースチルトドメインｄ２における光漏れの影響を、さらに小さく抑えることが可能になる。
【００３２】
また、この液晶パネル３においては、図１に示したように、液晶分子３３ａのプレチルト角θが４°〜２０°となるように配向膜２１が調整されている。このように、プレチルト角θを４°以上としたことにより、上述したリバースチルトドメインｄ２のラビング方向ｘへの移動を小さく抑えることができる。このことからも、リバースチルトドメインｄ２が画素１６中央の表示領域に達し難くなり、また達したとしても表示領域への滞在時間が短縮されるため、光漏れの発生時間を短出することができる。一方、プレチルト角θを２０°以下としたことにより、ラビング法に特有の筋状のリタデーション斑の発生を抑えることができる。
【００３３】
またさらに、この液晶パネル３においては、各画素１６に、ラビング方向ｘの始点側から反射表示部１６ａと透過表示部１６ｂとがこの順に配置されている。したがって、上述したようにリバースチルトドメインｄ２が画素１６の中央部に異動したとしても、リバースチルトドメインｄ２による光漏れが視認され易い透過表示部に、当該リバースチルトドメインｄ２が達し難くなる。このことからも、リバースチルトドメインｄ２における光漏れの影響を小さく抑えることが可能になるのである。
【００３４】
以上の結果、このような構成の液晶パネル３においては、リバースチルトドメインによる光漏れを最小限に抑えることが可能で、良好な表示を行うことが可能になる。そして、この液晶パネル３をタッチパネル付き表示装置に用いた場合であっても、良好な表示特性を得ることが可能になる。したがって、液晶パネル３とタッチパネルとの間にダンパー層（空間部）を設けずに、液晶パネル３とタッチパネルとを直接貼り合わせた表示装置を構成した場合には、液晶パネル３のパネル面に対してより大きな押圧力が加わることになるが、このような構成の表示装置であっても、良好な表示特性を保つことが可能になる。
【００３５】
具体的には、プレチルト角θ＝４°およびθ＝５°に設定し、複屈折率Δｎ＝０．１、比誘電率Δε＝５（２５℃），相転移点９０℃のネマチック液晶組成物を用いて構成されたＥＣＢモードの各液晶パネル３に、フィルム型の圧電式タッチパネルを粘着のりを用いて直接貼り付け、このタッチパネルを介して液晶パネルのパネル面を押し圧しても、光漏れを視認することはできず、良好な表示がなされることを確認できた。尚、上記ＥＣＢモードの液晶パネルは、表示面側（対向基板３３側）に広帯域の円偏光板を付与した偏光板を貼り付けてなる。
【００３６】
尚、以上の第１実施形態においては、▲１▼各画素１６に突起部３５が設けられ、▲２▼液晶分子のプレチルト角θが４°以上に設定され、さらには▲３▼反射表示部１６ａと透過表示部１６ｂとが所定の状態で設けられている構成の液晶パネル３の構成を説明した。しかしながら、本発明は、▲１▼〜▲３▼のいずれか１つの構成、または▲１▼〜▲３▼のいずれか２つを組み合わせた構成の液晶パネルも含むものである。
【００３７】
以上のような各構成の液晶パネルにおいては、▲１▼〜▲３▼のうちの採用した構成が奏する特有の効果を得ることができる。
【００３８】
例えば、▲２▼および３を採用した液晶パネルにおいては、液晶分子のプレチルト角θを４°以上としたことによる上述した効果、さらには反射表示部１６ａと透過表示部１６ｂとを所定の状態で設けた場合の上述した効果を得ることができる。図３には、このような構成の（突起部３５が設けられていない）上述したＥＣＢモードの液晶パネルにおける配向膜のプレチルト角θと光漏れ消失時間との関係を示す。ここで、光漏れ消失時間とは、タッチパネルのパネル面を押圧した場合に、光漏れが発生してから消失するまでの時間を黙視検査によって測定した結果であることとする。
【００３９】
このグラフに示すように、プレチルト角θ＝４°未満の範囲においては光漏れの消失時間が１秒程度であったが、プレチルト角θ＝４°以上の範囲においては光漏れの消失時間が０．５秒に短縮され、プレチルト角θを４°以上とする効果を確認できる。
【００４０】
また、▲１▼および▲３▼のみを採用した構成の液晶パネルにおいては、突起部３５を設けた場合の上述した効果、さらには反射表示部１６ａと透過表示部１６ｂとを所定の状態で設けた場合の上述した効果を得ることができる。この場合、具体的には、プレチルト角θ＝３°に設定されかつ突起部３５を有する上述のＥＣＢモードの液晶パネルに、タッチパネルを貼り付けたものについて、上述した光漏れの消失時間が０．５秒に抑えられることが確認された。
【００４１】
＜第２実施形態＞
図４は、本発明の液晶パネルの第２実施形態を示す表示領域の概略構成図であり、図４（１）は液晶パネルを構成する駆動用基板分の概略平面図であり、図４（２）は液晶パネルの概略断面図である。尚、図４（２）は図４（１）のＡ−Ａ’断面に対応している。
【００４２】
これらの図に示す第２実施形態の液晶パネル４と、図１を用いて説明した第１実施形態の液晶パネル（３）との異なるところは、第１実施形態で説明した突起部に換えて壁部３７を設けた点にあり、他の構成は同様であることとする。
【００４３】
すなわち、この壁部３７は、液晶層３３の流動を防止するためのものであり、ラビング方向ｘに配列された画素１６間に、ラビング方向に対して略垂直方向に延設配置されていることとする。したがって、本第２実施形態においては、走査線１３の上方となる位置に、画素１６の走査線１３方向の幅にわたって設けられていることとする。
【００４４】
この壁部３７は、平面図に示したように、画素１６の走査線１３方向の幅にわたって設けられていれば、画素１６毎にパターニングされた形状で設けられても良く、走査線１３に沿って切れ間まく一続きで設けられても良い。またこの壁部３７は、断面図に示したように、駆動用基板１１と対向基板３１との間のスペーサを兼ねる高さで設けられることが好ましい。
【００４５】
また、この壁部３７は、配向膜２１の上部または下部に設けられることとする。通常は、配向膜２１の下部に壁部３７設けられることになるが、この場合には、壁部３７の表面が配向膜２１で覆われた状態になる。また、この場合、例えばリソグラフィー処理によってレジストパターンからなる壁部３７を形成した後、この壁部３５が形成された駆動用基板１１の表面側を覆う状態で配向膜２１が形成される。
【００４６】
このような構成の液晶パネル４においては、第１実施形態で説明した液晶パネルと同様に、▲２▼液晶分子のプレチルト角θを４°以上とした場合の上述した効果、さらには▲３▼反射表示部１６ａと透過表示部１６ｂとを所定の状態で設けた場合の上述した効果を得ることができる。
【００４７】
このような効果に加えて、本第２実施形態の液晶パネル４においては、▲４▼ラビング方向ｘに配列された画素１６間に、液晶層３３の流動を防止するための壁部３７を設けたことにより、液晶層３３のラビング方向ｘへの流動が防止され、この流動によるリバースチルトドメインｄ２の移動を防止できる。このため、リバースチルトドメインｄ２は、パネル面を押し圧した場合であっても、画素１６の周辺部に止まることになる。これにより、表示領域におけるリバースチルトドメインｄ２での光漏れを防止できる。
【００４８】
以上の結果、このような構成の液晶パネル４においては、第１実施形態の液晶パネルと同様に、リバースチルトドメインによる光漏れを最小限に抑えることが可能で、良好な表示を行うことが可能になる。そして、この液晶パネル４をタッチパネル付き表示装置に用いた場合であっても、第１実施形態と同様に、
【００４９】
尚、以上の第２実施形態においては、第１実施形態と同様の構成である▲２▼液晶分子のプレチルト角θが４°以上に設定され、▲３▼反射表示部１６ａと透過表示部１６ｂとが所定の状態で設けられた各構成に加え、▲４▼ラビング方向ｘに配列された画素１６間に壁部３７が設けられている構成の液晶パネル４の構成を説明した。しかしながら、本発明は、▲２▼〜▲４▼のいずれか１つの構成、または▲２▼〜▲４▼のいずれか２つを組み合わせた構成の液晶パネルも含むものである。
【００５０】
以上のような各構成の液晶パネルにおいては、▲２▼〜▲４▼のうちの採用した構成が奏する特有の効果を得ることができる。
【００５１】
例えば、▲３▼および▲４▼を採用した液晶パネルにおいては、ラビング方向ｘに配列された画素１６間に壁部３７を設けたことによる上述した効果、さらには反射表示部１６ａと透過表示部１６ｂとを所定の状態で設けた場合の上述した効果を得ることができる。具体的には、プレチルト角θ＝３°で壁部３７が設けられた上述のＥＣＢモードの液晶パネルに、タッチパネルを貼り合わせた表示装置においては、パネル面を押し圧しても、光漏れを視認することはできず、良好な表示がなされることを確認できた。
【００５２】
また、以上の第１実施形態および第２実施形態においては、半反射半透過型の液晶パネルに本発明を適用した場合を説明したが、本発明はこのような液晶パネルへの適用に限定されることはなく、反射型の液晶パネルおよび透過型の液晶パネルに対する適用が可能であり、同様の効果を得ることができる。しかしながら、特にリバースチルトドメインにおける光漏れが視認され易い反射表示部を有する液晶パネルに対してより効果的に適用されることは言うまでもない。
【００５３】
さらに、本発明は、以上の第１実施形態および第２実施形態を組み合わせた構成の液晶パネルも含むものである。つまり、本発明は、第１実施形態および第２実施形態で説明した▲１▼〜▲４▼の少なくとも１つの構成を採用した液晶パネルの全てを含むものであり、採用した構成が奏する作用効果を得ることが可能である。
【００５４】
【発明の効果】
以上説明したように、第１〜第４の発明の液晶パネルによれば、アクティブマトリックス型の液晶パネルにおいて、信号線および走査線の一方と画素電極との間の横電界によるリバースチルトドメインの発生を防止し、さらに信号線および走査線の他方と画素電極との間の横電界によるリバースチルトドメインが発生した場合であっても、このリバースチルトドメインによる光漏れを最小限に抑えることが可能になり、良好な表示を行うことが可能になる。そして、この液晶パネルをタッチパネル付き表示装置に用いた場合であっても、良好な表示特性を得ることが可能になる。
【図面の簡単な説明】
【図１】第１実施形態の液晶パネルの概略構成図である。
【図２】第１実施形態の液晶パネルにおけるリバースチルトドメインの移動を説明する図である。
【図３】液晶パネルにおける配向膜のプレチルト角θと光漏れ消失時間との関係を示すグラフである。
【図４】第２実施形態の液晶パネルの概略構成図である。
【図５】従来の液晶パネルの概略構成図である。
【図６】従来の液晶パネルの他の概略構成図である。
【符号の説明】
３，４…液晶パネル、１１…駆動用基板、１３…走査線、１５…信号線、１７…トランジスタ、１６…画素、１６ａ…反射表示部、１６ｂ…透過表示部、１９…画素電極、２１…配向膜、３１…対向基板、３３…液晶層、３５…突起部、３７…壁部、ｘ…ラビング方向
【図１】
2004219858.tif 000003
【図２】
2004219858.tif 000004
【図３】
2004219858.tif 000005
【図４】
2004219858.tif 000006
【図５】
2004219858.tif 000007
【図６】
2004219858.tif 000008